(57)【特許請求の範囲】
【請求項１】
給電ラインから移動体に非接触で給電する非接触給電システムであって、
導体からなる管状の外導体管と、前記外導体管内に設けられた導体からなる管状の内導体管と、前記外導体管と前記内導体管との間及び前記内導体管内を絶縁するとともに前記内導体管を支持する絶縁物とからなる導体部、及び前記導体部を中心部に埋設した絶縁体からなる絶縁部を有した、前記給電ラインを構成する給電線と、
導体からなる筒形状の接続部材と
を備え、
前記導体部が露出した一対の前記給電線を前記接続部材に差し込み、対向する２方向から前記接続部材と前記給電線の導体部とを圧着することによって、外面から内部に沈み込んで前記内導体管にまで達する凹部を形成し、前記給電線同士を電気的及び機械的に接続することを特徴とする非接触給電システム。
【請求項２】
移動体に非接触で給電する非接触給電システムにおける給電線の接続方法であって、
導体からなる管状の外導体管と、前記外導体管内に設けられた導体からなる管状の内導体管と、前記外導体管と前記内導体管との間及び前記内導体管内を絶縁するとともに前記内導体管を支持する絶縁物とからなる導体部、及び前記導体部を中心部に埋設した絶縁体からなる絶縁部を有した給電線の前記導体部を露出させ、前記導体部が露出した一対の前記給電線を、導体からなる筒形状の接続部材に差し込む工程と、
前記接続部材と前記給電線の導体部とを対向する２方向から圧着することによって、外面から内部に沈み込んで前記内導体管にまで達する凹部を形成し、電気的及び機械的に前記給電線同士を接続する工程と
を含むことを特徴とする給電線の接続方法。
【発明の詳細な説明】
【技術分野】
【０００１】
本発明は、トロリーシステムにおいて利用される、給電ラインから移動体に非接触で給電する非接触給電システム及び給電線の接続方法に関する。
【背景技術】
【０００２】
従来、非接触給電システムにおいて用いられる給電線同士を接続する給電線の接続方法としては、それぞれの給電線の端部に接続端子を設けてこれらを端子台に螺合することで給電線同士を接続する方法が知られている（たとえば、特許文献１参照）。
【特許文献１】特開２００２−１７８８００号公報
【発明の開示】
【発明が解決しようとする課題】
【０００３】
しかしながら、上記のような接続方法では、上述のとおり、それぞれの給電線の端部に接続端子を設けてこれらを端子台に螺合しなければならないので、トロリーシステムの施工現場において給電線同士を簡単に接続することができない。
【０００４】
本発明は、上記の事情に鑑みてなされたものであり、その目的とするところは、トロリーシステムの施工現場において給電線同士を簡単に接続することができる非接触給電システム及び給電線の接続方法を提供することにある。
【課題を解決するための手段】
【０００５】
本発明に係る非接触給電システムは、上記の課題を解決するため、給電ラインから移動体に非接触で給電する非接触給電システムであって、導体からなる管状の外導体管と、外導体管内に設けられた導体からなる管状の内導体管と、外導体管と内導体管との間及び内導体管内を絶縁するとともに内導体管を支持する絶縁物とからなる導体部、及び導体部を中心部に埋設した絶縁体からなる絶縁部を有した、給電ラインを構成する給電線と、導体からなる筒形状の接続部材とを備え、給電線同士が、導体部が露出した一対の給電線が接続部材に差し込まれて給電線の導体部と接続部材とが圧着されることで電気的及び機械的に接続されることを特徴とする。
【０００６】
本発明に係る給電線の接続方法は、上記の課題を解決するため、移動体に非接触で給電する非接触給電システムにおいて用いられる、導体部が露出した一対の給電線を導体からなる筒形状の接続部材に差し込む工程と、差し込んだ給電線の導体部と接続部材とを圧着することで電気的及び機械的に給電線同士を接続する工程とを含むことを特徴とする。
【発明の効果】
【０００７】
本発明に係る非接触給電システム及び給電線の接続方法によれば、導体部が露出した一対の給電線を接続部材に差し込んで給電線の導体部と接続部材とを圧着することで電気的及び機械的に給電線同士を接続するので、トロリーシステムの施工現場において一般工具を用いて給電線同士を簡単に接続することができる。
【発明を実施するための最良の形態】
【０００８】
以下、本発明の一実施形態となる非接触給電システムについて図面を参照しながら説明する。
【０００９】
本実施形態に係るトロリーシステム１は、図１に示すように、移動用レール２と、移動体３と、非接触給電システム４とで構成されている。
【００１０】
移動用レール２は、図示省略した工場や倉庫などの躯体に固定して設置されおり、後述する移動体３を移動経路に案内する。この移動用レール２には、移動体３の移動経路に沿って直線部分や、折曲部分、湾曲部分などが形成されている。
【００１１】
移動体３は、移動用レール２に沿って配索された非接触給電システム４の給電ラインから電磁誘導により非接触で電力を受給し、この電力をもとにモーター３１を駆動して移動用レール２に沿って移動する。
【００１２】
非接触給電システム４は、移動用レール２に沿って配索された給電ラインに高周波電流を流すことで移動体３に電力を供給する。以降、この非接触給電システム４に本発明を適用した一実施形態について詳しく説明する。
【００１３】
本発明の一実施形態となる非接触給電システム４は、図１に示すように、高周波電源５と、ジョイナ６と、給電線７とで構成されている。
【００１４】
高周波電源５は、高周波電流を発生するものであって、移動用レール２に沿って配索された給電ラインに発生した高周波電流を供給する。
【００１５】
ジョイナ６は、Ｕ字状や、Ｌ字状、直線状に後述する給電線７同士を接続するとともに、これら給電線７間を電気的に接続する。このジョイナ６には、それぞれの接続形態に合わせて、エンドジョイナ６１、Ｌ型ジョイナ６２、及び直列ジョイナ６３の３種類がある。
【００１６】
給電線７は、所定の長さの長尺体として形成されたものであって、給電線ハンガー８を用いて移動用レール２に沿って往路と復路の２線が配索される。この際、給電線７同士はジョイナ６で接続される。すなわち、非接触給電システム４の給電ラインは、ジョイナ６及び給電線７の組み合わせで形成される。この給電線７は、図２に示すように、導体部７１と、絶縁部７２とで構成されている。
【００１７】
導体部７１は、導体からなる管状の内導体管７１ａ及び外導体管７１ｂが同心円状に配置された二重管構造をしている。内導体管７１ａと外導体管７１ｂとは、内導体管７１ａの外周の四方に設けられた連結リブ７１ｃによって連結されており、内導体管７１ａと外導体管７１ｂとの間及び内導体管７１ａ内には絶縁物７１ｄが詰められている。
【００１８】
絶縁部７２は、合成樹脂などの柔軟性を有する絶縁体で円柱形状に形成されており、導体部７１を中心部に埋設している。なお、給電線７の端部７ａについては所定の長さにわたり絶縁部７２が設けられていない。
【００１９】
ここで、圧着スリーブ９を用いた給電線の接続方法について図３及び４を参照しながら詳しく説明する。
【００２０】
本接続方法において用いられる圧着スリーブ９は、図３に示すような導体からなる筒形状のものである。具体的には、圧着スリーブ９は、移動用レール２の直線部分において直線状に配索された給電線７同士を接続する際に用いられる。この圧着スリーブ９を用いた給電線の接続方法は、図３に示すように、導体部７１が露出した一対の給電線７を圧着スリーブ９に差し込み、図４（ａ）に示すように、給電線７の導体部７１と圧着スリーブ９とを圧着することで電気的及び機械的に給電線７同士を接続する。この際、圧着スリーブ９には、外面から内部に沈み込む凹部９ａが形成され、この凹部９ａは、図４（ｂ）に示すように、導体部７１の内導体管７１ａまで達し、導体部７１の内導体管７１ａと外導体管７１ｂとを圧着する。なお、この凹部９ａは、圧着スリーブ９から給電線７が抜けないようにする働きもする。
【００２１】
以上の説明から明らかなように、本発明の一実施形態となる非接触給電システム４及び給電線７の接続方法によれば、導体部７１が露出した一対の給電線７を圧着スリーブ９に差し込んで給電線７の導体部７１と圧着スリーブ９とを圧着することで電気的及び機械的に給電線７同士を接続するので、トロリーシステム１の施工現場において一般工具を用いて給電線７同士を簡単に接続することができる。
【００２２】
以上、本発明者によってなされた発明を適用した一実施形態について説明したが、この実施形態による開示の一部をなす論述及び図面により本発明が限定されることはない。すなわち、上記の実施形態に基づいて当業者によってなされる、ほかの実施形態、運用技術、及び実施例などは本発明の範囲にすべて含まれることを付け加えておく。
【図面の簡単な説明】
【００２３】
【図１】本発明の一実施形態に係るトロリーシステムの構成を示すシステム構成図である。
【図２】本発明の一実施形態となる非接触給電システムにおける、給電線の内部構造を示す断面図である。
【図３】本発明の一実施形態となる非接触給電システムにおける、圧着スリーブの外観を示す斜視図である。
【図４】本発明の一実施形態となる非接触給電システムにおける、（ａ）圧着スリーブと給電線の接続状態を示す外観図及び（ｂ）圧着スリーブと給電線の接続状態を示すＡ−Ａ断面図である。
【符号の説明】
【００２４】
１  トロリーシステム
２  移動用レール
３  移動体
３１  モーター
４  非接触給電システム
５  高周波電源
６  ジョイナ
６１  エンドジョイナ
６２  Ｌ型ジョイナ
６３  直列ジョイナ
７  給電線
７ａ  端部
７１  導体部
７１ａ  内導体管
７１ｂ  外導体管
７１ｃ  連結リブ
７１ｄ  絶縁物
７２  絶縁部
８  給電線ハンガー
９  圧着スリーブ（接続部材）
９ａ  凹部
【図１】
0005260998.tif 000002
【図２】
0005260998.tif 000003
【図３】
0005260998.tif 000004
【図４】
0005260998.tif 000005